(57)【要約】【課題】回転体等の移動体に回転つまみ等の操作つまみを結合する十分なスペースがなくても、クリックバネを利用することで、移動体と操作つまみとを容易に連結して設置することができるクリック機能付き電子部品を提供する。【解決手段】ケース１５０と、ケース１５０の上面側に設置される操作つまみ２１０と、ケース１５０の下面側に設置され操作つまみ２１０の回転と共に回転する回転体９０と、回転体９０の回転によって電気的出力を変化する摺動子１００等からなる電気的機能部と、ケース１５０と回転体９０の間に設置され操作つまみ２１０の回転と共に回転してクリック感触を生じるクリックバネ１２０とを具備する。操作つまみ２１０にケース１５０を介してクリックバネ１２０を回転体９０とは別個に単独で取り付けることでクリックバネ１２０に操作つまみ２１０のケース１５０からの抜け防止機能を兼用させる。【選択図】図１
2008283009.tif 000002
【特許請求の範囲】
【請求項１】
ケースと、
前記ケースの一方の面側に設置される操作つまみと、
前記ケースの他方の面側に設置され前記操作つまみの移動と共に移動する移動体と、
前記移動体の移動によって電気的出力を変化する電気的機能部と、
前記ケースと移動体の間に設置され操作つまみの移動と共に移動してクリック感触を生じるクリック部材とを具備し、
前記操作つまみに前記ケースを介してクリック部材を、前記移動体を前記操作つまみに固定することなく、取り付けることでこのクリック部材に操作つまみのケースからの抜け防止機能を兼用させたことを特徴とするクリック機能付き電子部品。
【請求項２】
前記抜け防止機能を果たす前記操作つまみとクリック部材との取付位置のこれ以外の位置において、前記移動体と操作つまみとが一体に移動する状態に係合されていることを特徴とする請求項１に記載のクリック機能付き電子部品。
【請求項３】
前記移動体の前記クリック部材に対向する反対側の面に、前記電気的機能部を構成する摺動子を取り付けたことを特徴とする請求項１又は２に記載のクリック機能付き電子部品。
【請求項４】
前記クリック部材は基部と基部から突出するアーム部の途中に弾接部を設けて構成されるクリックバネであり、
前記基部を前記操作つまみに取り付けることで操作つまみのケースからの抜け防止機能を果たさせ、
前記弾接部を前記ケースに設けたクリック係合部に弾接してクリックバネ移動の際にクリック感触を生じさせることを特徴とする請求項１又は２又は３に記載のクリック機能付き電子部品。
【請求項５】
前記クリックバネの基部には、これに積層して補強部材を設置したことを特徴とする請求項４に記載のクリック機能付き電子部品。
【請求項６】
前記クリック機能付き電子部品は、前記移動体を回転体とし、前記操作つまみと共に前記ケースに対して回転するクリック機能付き回転式電子部品であることを特徴とする請求項１乃至５の内の何れかに記載のクリック機能付き電子部品。
【発明の詳細な説明】
【技術分野】
【０００１】
本発明はクリック機能付き電子部品に関するものである。
【背景技術】
【０００２】
従来、回転式電子部品やスライド式電子部品の中には、操作つまみを回転又はスライド操作する際にクリック感触を生じるものがある。例えば特許文献１の図１に示すクリック機能付きの回転式電子部品においては、ケースの上面側に回転つまみを設置し、ケースの下面にクリック係合部を有するクリック板を取り付け、その下側に前記クリック係合部に弾接する弾接部を有するクリックバネと摺動型物とを設置し、前記回転つまみとクリックバネと摺動型物とをケースを介して回転自在に一体に固定すると共に、摺動型物の下面に摺動子を取り付け、さらにその下側に前記摺動子が摺接するスイッチパターンを設けたフレキシブル基板を設置して構成されている。そして前記回転つまみを回転すれば、これと一体に回転する摺動子がフレキシブル基板のスイッチパターン上を摺動してその電気的出力を変化すると同時に、前記クリックバネの弾接部がクリック係合部の凹凸に弾接してクリック感触を生じる。
【０００３】
ところで上記従来の回転式電子部品における回転つまみと摺動型物間の一体化は、回転つまみの下面から突出する固定部材の先端を摺動型物に設けた貫通孔からなる係止部に挿入して摺動型物の下面に突出する固定部材の先端を熱かしめすることによって行っていた。
【０００４】
しかしながら回転式電子部品の小型化等によって、前記摺動型物の下面に摺動子を取り付けるスペースしかなくなって（前記下面を摺動子が全て覆ってしまう等）前記熱かしめができなくなってしまう場合が生じ、このような場合は回転つまみを摺動型物と一体化することが困難になるという問題が生じていた。
【特許文献１】特開２００２−１９０４０３号公報
【発明の開示】
【発明が解決しようとする課題】
【０００５】
本発明は上述の点に鑑みてなされたものでありその目的は、例え摺動型物等の移動体に回転つまみ等の操作つまみを結合する十分なスペースがなくても、クリックバネを利用することで、操作つまみがケースから抜けるのを防止でき、同時に移動体と操作つまみとを容易に連結して設置することができるクリック機能付き電子部品を提供することにある。
【課題を解決するための手段】
【０００６】
本願請求項１に記載の発明は、ケースと、前記ケースの一方の面側に設置される操作つまみと、前記ケースの他方の面側に設置され前記操作つまみの移動と共に移動する移動体と、前記移動体の移動によって電気的出力を変化する電気的機能部と、前記ケースと移動体の間に設置され操作つまみの移動と共に移動してクリック感触を生じるクリック部材とを具備し、前記操作つまみに前記ケースを介してクリック部材を、前記移動体を前記操作つまみに固定することなく、取り付けることでこのクリック部材に操作つまみのケースからの抜け防止機能を兼用させたことを特徴とするクリック機能付き電子部品にある。
【０００７】
本願請求項２に記載の発明は、前記抜け防止機能を果たす前記操作つまみとクリック部材との取付位置のこれ以外の位置において、前記移動体と操作つまみとが一体に移動する状態に係合されていることを特徴とする請求項１に記載のクリック機能付き電子部品にある。
【０００８】
本願請求項３に記載の発明は、前記移動体の前記クリック部材に対向する反対側の面に、前記電気的機能部を構成する摺動子を取り付けたことを特徴とする請求項１又は２に記載のクリック機能付き電子部品にある。
【０００９】
本願請求項４に記載の発明は、前記クリック部材は基部と基部から突出するアーム部の途中に弾接部を設けて構成されるクリックバネであり、前記基部を前記操作つまみに取り付けることで操作つまみのケースからの抜け防止機能を果たさせ、前記弾接部を前記ケースに設けたクリック係合部に弾接してクリックバネ移動の際にクリック感触を生じさせることを特徴とする請求項１又は２又は３に記載のクリック機能付き電子部品にある。
【００１０】
本願請求項５に記載の発明は、前記クリックバネの基部には、これに積層して補強部材を設置したことを特徴とする請求項４に記載のクリック機能付き電子部品にある。
【００１１】
本願請求項６に記載の発明は、前記クリック機能付き電子部品は、前記移動体を回転体とし、前記操作つまみと共に前記ケースに対して回転するクリック機能付き回転式電子部品であることを特徴とする請求項１乃至５の内の何れかに記載のクリック機能付き電子部品にある。
【発明の効果】
【００１２】
請求項１に記載の発明によれば、クリック部材（クリックバネやクリック板）に操作つまみのケースからの抜け防止機能を兼用させたので、操作つまみがケースから抜けないように操作つまみと移動体間を結合する必要がなくなり、そのため操作つまみと移動体間は単に両者が一体に回転する簡単な構造の係合機構のみで係合すれば良くなり、例え移動体に操作つまみを結合するに十分なスペースがなくても、両者を容易に連結して設置することができる。従ってクリック機構付き電子部品の小型化が図れる。そして請求項２に記載の発明のように、操作つまみとクリック部材間の取り付けと、操作つまみと移動体間の係合とを、それぞれ別々の位置において行えば良くなり、設計の自由度が増す。
【００１３】
請求項３に記載の発明によれば、移動体のクリック部材に対向する反対側の面全体を使って自由に摺動子を取り付けることができるようになる。
【００１４】
請求項４に記載の発明によれば、クリックバネを基部とアーム部に分け、主に基部を操作つまみのケースからの抜け防止機能に使用し、アーム部をクリック機能に使用し、これによって１枚のクリックバネで２つの機能を何れも確実に機能させることができる。
【００１５】
請求項５に記載の発明によれば、クリックバネの基部による操作つまみのケースからの抜け防止機能をさらに確実・強固に発揮させることができる。
【００１６】
請求項６に記載の発明によれば、本発明を用いたクリック機能付き回転式電子部品を構成することができる。
【発明を実施するための最良の形態】
【００１７】
以下、本発明の実施形態を図面を参照して詳細に説明する。
〔第１実施形態〕
図１は本発明を用いて構成した第１実施形態にかかるクリック機能付き電子部品（以下「クリック機能付き回転式電子部品」という）１−１の概略側断面図、図２はクリック機能付き回転式電子部品１−１を上側から見た斜視図、図３はクリック機能付き回転式電子部品１−１を下側から見た斜視図、図４，図５はクリック機能付き回転式電子部品１−１を上側から見た分解斜視図（図４はその上側の部品、図５はその下側の部品を示す）、図６，図７はクリック機能付き回転式電子部品１−１を下側から見た分解斜視図（図６はその上側の部品、図７はその下側の部品を示す）である。なお図１に示す断面図は図示の都合上、各部の断面の位置が異なっている。
【００１８】
これらの図に示すようにクリック機能付き回転式電子部品１−１は、支持部材１０上に、フレキシブル回路基板３０の第２回路基板（以下「第２回路基板部」という）３３と、取付台６０と、フレキシブル回路基板３０の第１回路基板（以下「第１回路基板部」という）３１と、電気的機能部である摺動子１００を取り付けた移動体（以下「回転体」という）９０と、クリック部材（以下「クリックバネ」という）１２０と、ケース１５０と、スペーサ部材１７０と、押釦つまみ１８０と、操作つまみ２１０と、を設置して構成されている。このクリック機能付き回転式電子部品１−１は、クリック機能付き回転式電子部品としての機能の他に、多方向に揺動して揺動した側のスイッチをオンする揺動式電子部品の機能も併せ持つものである。なお以下の説明において、「上」又は「上方向」とは支持部材１０から操作つまみ２１０側を向く方向をいい、「下」又は「下方向」とはその反対側を向く方向をいうものとする。以下各構成部品について順に説明する。
【００１９】
支持部材１０は金属製の硬質板（例えば鉄板）の外形を略八角形としてなる支持部材基部１１を有し、支持部材基部１１の外周から略等間隔（略９０度間隔で４ヶ所）に外方に向けて舌片状の係合片取付部１３を突出し、その根元部分を上方に向けて折り曲げてほぼ垂直に立設して構成されている。各係合片取付部１３には、下記する取付台６０に設けた係合片６７の先端部を挿入して係止する略矩形状の開口からなる係合片挿入部１５が設けられている。
【００２０】
フレキシブル回路基板３０は、可撓性を有する合成樹脂フイルム上に所望の回路パターンを形成して構成されており、細帯状の連結部３５によって第１回路基板部３１と第２回路基板部３３とを連結し、さらに第２回路基板部３３に細帯状の引出部３６を接続して構成されている。合成樹脂フイルムの材質は、可撓性のある合成樹脂フイルムであれば熱可塑性フイルムでも熱硬化性フイルムでも光硬化性フイルムでも良く、この実施形態ではポリエチレンテレフタレート（ＰＥＴ）フイルムを用いているが、それ以外にも例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を使用しても良い。
【００２１】
フレキシブル回路基板３０の第１回路基板部３１は略円形の外形を有し、中央に下記する取付台６０の筒状突出部６１を挿通する円形の開口部３７を設け、またその外周近傍の所定位置（略等間隔の４ヶ所）に貫通する小孔からなる挿通部３９を設け、さらに第１回路基板部３１の下面の開口部３７の周囲を囲む位置に電気的機能部である摺接パターン４１を形成して構成されている。摺接パターン４１の具体的構成は図示していないが、スイッチパターンであっても良いし、抵抗体パターンであっても良いし、それら以外の各種機能を有するパターンであっても良い。摺接パターン４１は導電塗料を塗布することで形成しても良いし、貼り付けた金属箔をエッチングすることによって形成しても良いし、蒸着等の手段によって形成しても良い。第２回路基板部３３はその外形が前記支持部材基部１１の外形と略同一形状寸法の略八角形状に形成され、その上面の中央に中央スイッチ４３を設置し、中央スイッチ４３の周囲を囲む位置に等間隔（９０°間隔）に複数（４つ）の周囲スイッチ４５を設置して構成されている。中央スイッチ４３及び周囲スイッチ４５は、何れも第２回路基板部３３上に形成した図示しないスイッチパターン上に弾性金属板をドーム形状に形成してなる反転板（この実施形態では可動接点板）４３ａ，４５ａを設置して構成されている。引出部３６には、前記摺接パターン４１や中央，周囲スイッチ４３，４５と接続されている回路パターンが引き出されている。
【００２２】
取付台６０は合成樹脂を略円板形状に成形して構成されており、その中央に上方向に向かって突出する筒状突出部６１を設け、その中央に略円形で上下に貫通する開口部６２を設けている。開口部６２は下記する押釦つまみ１８０の押圧部１８３を上下動自在に挿通させるものであり、その内周面には、押釦つまみ１８０の回り止め係合部１８７を係合する軸方向（上下方向）に伸びる溝（上部はスリット）からなる回り止め６３が形成されている。また取付台６０の外周近傍部分の４ヶ所（下記するケース１５０の各取付台固定部１５７に対向する位置）には、上下に貫通する小孔からなる取付固定部６５が設けられ、また取付台６０の外周から半径方向外方に向かって等間隔に複数（４ヶ所）の舌片状の係合片６７を突設している。各係合片６７の左右両側面には小突起状の係止部６９が形成され、また各係合片６７の先端辺の下辺は外方に向かってその厚みを薄くするテーパ面となっている。一方取付台６０の下面の各取付固定部６５の間の所定位置（前記各周囲スイッチ４５に対向する位置）には下方向に向かって柱状に突出する押圧部７１が形成されている。
【００２３】
回転体９０は合成樹脂を略円板状に成形して構成されており、その中央に前記取付台６０の筒状突出部６１を回動自在に挿入する開口部９１を設けている。また回転体９０の開口部９１を挟んだその１８０°対向する位置（下記する操作つまみ２１０の回転体係止部２１７に対向する位置）には上下に貫通する小孔からなる一対の挿入部９３が設けられ、また挿入部９３と略同一円周上（下記する操作つまみ２１０のクリックバネ固定部２１９に対向する位置）の上面には複数（４つ）の円形の収納凹部９５が設けられている。一方回転体９０の下面の開口部９１の周囲には下方向に向かって突出する筒状の突出部９７が形成されており、突出部９７の周囲の面は下記する摺動子１００を設置する摺動子設置部９８となっている。摺動子設置部９８の所定位置（同一円周上の等間隔（１２０°間隔）の位置）には小突起状の摺動子固定部９９が設けられている。
【００２４】
摺動子１００は弾性金属板製であり、回転体９０の外径寸法よりも若干小さな外径寸法を有する略円形の平板状に形成され、中央に円形に貫通する開口部１０１を設けると共に、開口部１０１の外側の等間隔（１２０°間隔）の複数位置（３ヶ所）に前記回転体９０に設けた摺動子固定部９９を挿入する貫通孔からなる取付固定部１０３を設け、さらに各取付固定部１０３を設けた部分の側部から３組の摺接ブラシ１０５を摺動子１００の円周方向に沿って突出して構成されている。各摺接ブラシ１０５の先端近傍には接点部１０７が設けられ、また各組の摺接ブラシ１０５はそれらの根元部分が若干下方に折り曲げられている。
【００２５】
クリックバネ１２０は弾性金属板を略円形に形成した基部１２１と、基部１２１の外周を囲んで１８０°対向する位置に設置される半円弧状の一対のアーム部１２３とを一体に形成して構成されている。基部１２１の中央には上下に貫通する円形の開口部１２５が設けられ、また開口部１２５を挟んで１８０°対向するその両側位置（下記する操作つまみ２１０の回転体係止部２１７に対向する位置）には扇形状に貫通する挿通部１２７が設けられ、また挿通部１２７と略同一円周上（下記する操作つまみ２１０のクリックバネ固定部２１９に対向する位置）には複数（４つ）の円形の取付固定部１２９が設けられている。一対のアーム部１２３はその両端が基部１２１の外周から突出する一対の連結部１２８に連結されており、両アーム部１２３の中央付近には上方向に向かって突出するように屈曲してなる弾接部１３１が設けられている。なお前記挿通部１２７を連結部１２８近傍位置に設けることで、取付固定部１２９の位置を連結部１２８から離し、これによってアーム部１２３の弾発力を大きくしている。
【００２６】
ケース１５０は合成樹脂を成形して構成されており、略円形平板状の上面部１５１と、上面部１５１の外周から下方に筒状に突出してなる側壁部１５３とを具備している。上面部１５１の中央には下記する操作つまみ２１０の軸支部２１５を回動自在に挿入する上下に貫通する円形の開口部１５５を有している。また側壁部１５３の下端辺の複数位置には、前記取付台６０の各取付固定部６５に挿入される突起状の取付台固定部１５７が設けられている。また上面部１５１の下面の開口部１５５の周囲には、前記クリックバネ１２０の弾接部１３１を弾接させる多数の凹凸をリング状に形成してなるクリック係合部１５９が設けられている。
【００２７】
スペーサ部材１７０は、ＡＢＳ樹脂等の摺動性に優れた成形樹脂製の薄板状部材であり、ケース１５０の上面部１５１の外形と略一致する円形の外形を有し、中央に前記ケース１５０の開口部１５５と略同一内径の開口部１７１を設けて構成されている。このスペーサ部材１７０は、操作つまみ２１０とケース１５０の間に設置されて操作つまみ２１０の回転時のケース１５０に対する回転摺動性を向上させるための部材である。
【００２８】
押釦つまみ１８０は合成樹脂の成形品であり、略円板状の本体部１８１と、本体部１８１の下面中央から下方向に突出する柱状の押圧部１８３とを具備し、また本体部１８１の外周から薄板リング状のつば部１８５を突出して構成されている。また押圧部１８３の外周面には上下方向（軸方向）に沿う突条からなる回り止め係合部１８７が設けられている。
【００２９】
操作つまみ２１０は合成樹脂の成形品であり、略円板状の本体部２１１の外周から下方に向かって筒状に側壁部２１３を突出して構成されている。本体部２１１の中央には上下に貫通して前記押釦つまみ１８０の本体部１８１を挿入する内径寸法（且つつば部１８５の外径寸法よりも小さい内径寸法）の円形の開口部２１２が設けられている。また本体部２１１の下面の開口部２１２の周囲には下方向に突出する筒状の軸支部２１５が設けられている。軸支部２１５の内径寸法は前記押釦つまみ１８０のつば部１８５をちょうど上下動自在に収納できる寸法であり、軸支部２１５の外径寸法は前記ケース１５０の開口部１５５に挿入されて回動自在に軸支される寸法である。軸支部２１５の下端辺の１８０°対向する２ヶ所（前記クリックバネ１２０の一対の挿通部１２７に対向する位置）からは下方向に向かって回転体係止部２１７が突設され、また軸支部２１５の下端辺の前記一対の回転体係止部２１７の間の複数（４つ）の位置（前記クリックバネ１２０の各取付固定部１２９に対向する位置）からは下方向に向かって円柱状の小突起からなるクリックバネ固定部２１９が突設されている。回転体係止部２１７は根元部分の略扇柱の係止部基部２１７ａの下面から下方向に向けて円柱状の軸部２１７ｂを突出して構成されている。係止部基部２１７ａは前記クリックバネ１２０に設けた略扇形状の挿通部１２７にぴったり挿入される寸法に形成され、また軸部２１７ｂは前記回転体９０の挿入部９３にぴったり挿入される寸法に形成され、また前記クリックバネ固定部２１９は前記クリックバネ１２０の取付固定部１２９にぴったり挿入される寸法に形成されている。
【００３０】
次にクリック機能付き回転式電子部品１−１の組立方法を説明する。まず予め回転体９０の摺動子設置部９８に摺動子１００を設置し、その際回転体９０の各摺動子固定部９９を摺動子１００の各取付固定部１０３に挿入してその先端を熱かしめして固定しておく。そして操作つまみ２１０の開口部２１２にその下面側から押釦つまみ１８０の本体部１８１を挿入し、本体部１８１の上面を開口部２１２から操作つまみ２１０の上面側に露出させる。次に操作つまみ２１０の本体部２１１の下面にスペーサ部材１７０を設置してその下側にケース１５０を設置する。このときケース１５０の開口部１５５内に操作つまみ２１０の軸支部２１５が回動自在に挿入され、また操作つまみ２１０の側壁部２１３の内側にケース１５０の側壁部１５３が入り込む。
【００３１】
次にケース１５０の下面側の側壁部１５３内にクリックバネ１２０を挿入する。このとき押釦つまみ１８０の押圧部１８３はクリックバネ１２０の開口部１２５に挿通され、またクリックバネ１２０の基部１２１は操作つまみ２１０の軸支部２１５の下端面に当接し、その際操作つまみ２１０の一対の回転体係止部２１７はクリックバネ１２０の挿通部１２７に挿入されてその係止部基部２１７ａを嵌合し、同時に操作つまみ２１０の４つのクリックバネ固定部２１９はクリックバネ１２０の取付固定部１２９に挿入される。そして４つのクリックバネ固定部２１９の先端を熱かしめすることで操作つまみ２１０とクリックバネ１２０とをケース１５０を介して一体化する。図８はこのときの状態を示す側断面図である。同図に示すように、操作つまみ２１０にケース１５０を介してクリックバネ１２０だけを（即ち回転体９０とは別個に）取り付けることで、このクリックバネ１２０（その基部１２１）だけに操作つまみ２１０のケース１５０からの抜け防止機能を兼用させている。このとき押釦つまみ１８０の本体部１８１は操作つまみ２１０の軸支部２１５の内部空間から抜け出ないように収納されている。またクリックバネ１２０の両弾接部１３１はそれぞれケース１５０のクリック係合部１５９に弾接している。またこのとき操作つまみ２１０の一対の回転体係止部２１７の軸部２１７ｂはクリックバネ１２０の基部１２１の下方に突出しており、また前記スペーサ部材１７０は操作つまみ２１０とケース１５０の間に挟持されている。
【００３２】
次に前記摺動子１００を取り付けた回転体９０をクリックバネ１２０の下面側に設置する。このとき押釦つまみ１８０の押圧部１８３を回転体９０の開口部９１に挿通させると共に、クリックバネ１２０の下面側に突出している操作つまみ２１０の一対の回転体係止部２１７の軸部２１７ｂを回転体９０の挿入部９３に挿入する。なお回転体係止部２１７の軸部２１７ｂの先端は回転体９０の挿入部９３内に位置し、回転体９０の下面（摺動子設置部９８の面）に突出していない。
【００３３】
次にフレキシブル回路基板３０の第１回路基板部３１をその下面（摺接パターン４１を設けた側の面）を上向きとした状態で取付台６０の上面に載置し、その際その開口部３７に取付台６０の筒状突出部６１を挿通する。このとき取付台６０の各取付固定部６５と第１回路基板部３１の各挿通部３９の位置を一致させておく。そしてこの第１回路基板部３１を設置した取付台６０を前記ケース１５０の下側に設置する。このとき回転体９０の開口部９１内に筒状突出部６１を挿入し、同時に押釦つまみ１８０の押圧部１８３をその回り止め係合部１８７を回り止め６３に係合させて開口部６２内に挿通し、押圧部１８３の下端を取付台６０の下面側に突出させる。そしてケース１５０の各取付台固定部１５７を第１回路基板部３１の各挿通部３９と取付台６０の各取付固定部６５とに挿通し、取付台６０の下面側に突出する取付台固定部１５７の先端を熱かしめする。これによって回転体９０に取り付けた摺動子１００の接点部１０７が第１回路基板部３１上の摺接パターン４１に弾接する。
【００３４】
次に前記フレキシブル回路基板３０の連結部３５の部分を下方に折り返すことで、第２回路基板部３３を取付台６０の下面に配置し、さらに第２回路基板部３３の下面側に第２回路基板部３３と重なるように支持部材１０を設置する。そしてこのとき取付台６０の各係合片６７の係止部６９より先端側の部分を支持部材１０の各係合片取付部１３の係合片挿入部１５内にスナップイン係合によって挿入して取り付ける。このとき取付台６０の各押圧部７１はそれぞれ各周囲スイッチ４５の反転板４５ａ上に当接し、この状態で各係合片６７が各係合片挿入部１５の内周上辺に当接することで、取付台６０が支持部材１０によって揺動自在に支持された状態となる。なおこのとき押釦つまみ１８０の押圧部１８３の下端面も中央スイッチ４３の反転板４３ａ上に当接し、同時にそのつば部１８５の上面は操作つまみ２１０の本体部２１１の下面に当接又は接近している。以上により図１に示すクリック機能付き回転式電子部品１−１が完成する。
【００３５】
次にクリック機能付き回転式電子部品１−１の動作を説明する。まず操作つまみ２１０を回転すると、これと一体にクリックバネ１２０及び回転体９０及び摺動子１００が回転し、これによってクリックバネ１２０の弾接部１３１がケース１５０のクリック係合部１５９に弾接係合してクリック感触が生じると共に、摺動子１００の接点部１０７が第１回路基板部３１の摺接パターン４１上を摺動して摺接パターン４１の電気的出力が変化する。
【００３６】
一方押釦つまみ１８０の本体部１８１の上面を押圧すると、押釦つまみ１８０が下降してその押圧部１８３が中央スイッチ４３の反転板４３ａを押圧して反転させ、これによって中央スイッチ４３がオンする。押釦つまみ１８０への押圧を解除すれば、反転板４３ａは元の形状に自動復帰し、押釦つまみ１８０は押上げられて中央スイッチ４３はオフする。一方操作つまみ２１０の本体部２１１上面の、前記取付台６０の何れかの押圧部７１に対応する部分を下方向に押圧すると、取付台６０上に設置している各構成部品（ケース１５０や回転体９０や操作つまみ２１０等）が取付台６０と一体に押圧された方向に傾いて揺動し、下降した側の押圧部７１がこれに対向する周囲スイッチ４５の反転板４５ａを押圧して反転させてその周囲スイッチ４５をオンする。前記操作つまみ２１０への押圧を解除すれば、反転板４５ａの自動復帰力で取付台６０上の操作つまみ２１０を含む各構成部品が一体に元の位置に自動復帰し、周囲スイッチ４５はオフする。
【００３７】
このクリック機能付き回転式電子部品１−１を例えば携帯型端末装置等に用いた場合は、一例として操作つまみ２１０の回転操作によって所定の操作内容を順に携帯型端末装置の表示部に表示させ、操作つまみ２１０を揺動させる操作で前記表示させた操作内容の内の何れかを選択し、さらに押釦つまみ１８０を押圧する操作でこの選択した操作内容を確定する等して用いることができる。
【００３８】
ところで以上説明したように、クリック機能付き回転式電子部品１−１は、ケース１５０と、ケース１５０の一方の面側に設置される操作つまみ２１０と、ケース１５０の他方の面側に設置され操作つまみ２１０の回転と共に回転する回転体９０と、回転体９０の回転によって電気的出力を変化する摺動子１００及び摺接パターン４１からなる電気的機能部と、ケース１５０と回転体９０の間に設置され操作つまみ２１０の回転と共に回転してクリック感触を生じるクリックバネ１２０とを具備し、操作つまみ２１０にケース１５０を介してクリックバネ１２０を、回転体９０を操作つまみ２１０に固定することなく、取り付けることでこのクリックバネ１２０に操作つまみ２１０のケース１５０からの抜け防止機能を兼用させたので、操作つまみ２１０がケース１５０から抜けないように操作つまみ２１０と回転体９０間を結合する必要がなくなる。そのため操作つまみ２１０と回転体９０間は単に両者が一体に回転する簡単な構造の係合機構（即ち回転体９０の挿入部９３に操作つまみ２１０の回転体係止部２１７を挿入する機構）のみで係合すれば良くなる。従って例え回転体９０に操作つまみ２１０を結合するに十分なスペースがなくても、即ち例えばこの実施形態のように回転体９０下面の摺動子設置部９８の面全体を摺動子１００が覆うためにこの面に前記操作つまみ２１０の回転体係止部２１７を突出してその先端を熱かしめすることができないような場合でも、操作つまみ２１０がケース１５０から外れることなく、操作つまみ２１０と回転体９０とを容易に連結して設置することができる。従ってクリック機構付き回転式電子部品１−１の小型化が図れる。
【００３９】
またこのクリック機構付き回転式電子部品１−１においては、前記抜け防止機能を果たす操作つまみ２１０とクリックバネ１２０との取付位置以外の位置において、回転体９０と操作つまみ２１０とを一体に移動する状態に係合している。具体的に言えば、操作つまみ２１０とクリックバネ１２０との取付構造は、操作つまみ２１０に設けたクリックバネ固定部２１９をケース１５０を介してクリックバネ１２０に貫通してその先端を熱かしめする構造であり、一方回転体９０と操作つまみ２１０間の係合構造は、前記取付構造とは別の位置において、操作つまみ２１０に設けた回転体係止部２１７を回転体９０に設けた挿入部９３に挿入する構造である。このように操作つまみ２１０とクリックバネ１２０間の取り付けと、操作つまみ２１０と回転体９０間の係合とをそれぞれ別々の位置において行えば何れの取付・係合作業もそれぞれ独立した別工程で行えば良くなり、設計の自由度が増す。
【００４０】
またこのクリック機構付き回転式電子部品１−１においては、回転体９０のクリックバネ１２０に対向する反対側の面に、電気的機能部を構成する摺動子１００を取り付けているが、この回転体９０のクリックバネ１２０に対向する反対側の面では操作つまみ２１０と回転体９０間の取り付けによる熱かしめなどを行う必要がない。従ってその面全体を使って自由に摺動子１００を取り付けることができる。言い換えればクリック機構付き回転式電子部品１−１が小型化して前記回転体９０の摺動子１００を取り付ける面が摺動子１００で覆われても、これに対応できる。
【００４１】
またこのクリック機構付き回転式電子部品１−１においては、クリックバネ１２０を基部１２１と基部１２１から突出するアーム部１２３の途中に弾接部１３１を設けて構成し、基部１２１を操作つまみ２１０に取り付けることで操作つまみ２１０のケース１５０からの抜け防止機能を果たさせ、一方弾接部１３１をケース１５０に設けたクリック係合部１５９に弾接させてクリックバネ１２０移動の際にクリック感触を生じさせるように構成している。このようにクリックバネ１２０を基部１２１とアーム部１２３に分け、主に基部１２１を操作つまみ２１０のケース１５０からの抜け防止機能に使用し、アーム部１２３をクリック機能に使用したので、１枚のクリックバネ１２０で２つの機能を何れも確実に機能させることができる。さらに言えばクリックバネ１２０は、抜け防止機能の強度を強く保つために比較的大径の円板状の基部１２１を設け、基部１２１とアーム部１２３とを連結する連結部１２８を細帯状に細くすることでクリック機構に対して前記基部１２１の操作つまみ２１０への固定による影響を無くしている。また従来クリックバネは、例えば前記特許文献１にも示すように、本実施形態の連結部１２８の部分に取付孔を空けてこの部分で熱かしめなどの手段で他の部材への固定が行われていたが、本実施形態のように連結部１２８の部分ではなく、中央の基部１２１の部分で操作つまみ２１０への固定を行うこととすれば、連結部１２８の部分に取付孔を空ける必要がないので連結部１２８の部分の強度が増し、またその中央の基部１２１で操作つまみ１２０への確実な固定ができるので、クリックバネ１２０を小型化しても強度上両機能を確実に発揮でき、その分クリックバネ１２０の小型化が図れ、ひいてはクリック機構付き回転式電子部品１−１全体の小型化が図れる。
【００４２】
ところで上記実施形態においては前述のように、クリックバネ１２０の基部１２１を直接操作つまみ２１０（その軸支部２１５の下端面）に取り付ける例を示したが、場合によっては基部１２１だけではその取付強度が弱い場合がある。このような場合は、図９に示すように、基部１２１と操作つまみ２１０（その軸支部２１５の下端面）の間に補強部材（以下「補強板」という）２３０を重ねて設置（挟持）すれば良い。補強板２３０は金属製又は合成樹脂製の硬質の平板（この実施形態では円板）であり、前記基部１２１と略同一外径寸法形状であって、基部１２１に設けた各挿通部１２７及び各取付固定部１２９及び開口部１２５と同一位置に同一形状の挿通部２３１及び取付固定部２３３及び開口部２３５が設けられている。従ってこれら挿通部２３１及び取付固定部２３３には操作つまみ２１０の回転体係止部２１７（係止部基部２１７ａ）及びクリックバネ固定部２１９が挿通され、クリックバネ１２０と共にケース１５０の下面に取り付けられる。これによってクリックバネ１２０の基部１２１による操作つまみ２１０のケース１５０からの抜け防止機能をさらに確実・強固に発揮させることができる。
【００４３】
〔第２実施形態〕
図１０は本発明を用いて構成した第２実施形態にかかるクリック機能付き電子部品（以下「クリック機能付きスライド式電子部品」という）１−２の概略側断面図である。なお図１０に示す断面図は図示の都合上、各部の断面位置が異なっている。同図に示すクリック機能付きスライド式電子部品１−２は、支持部材３１０上に、フレキシブル回路基板３３０と、電気的機能部である摺動子３８０を取り付けた移動体（以下「スライド移動体」という）３６０と、クリックバネ４００と、ケース４４０と、操作つまみ４８０と、を設置して構成されている。以下各構成部品について順に説明する。
【００４４】
支持部材３１０は金属製の硬質板（例えば鉄板）によって構成されている。フレキシブル回路基板３３０は、可撓性を有する合成樹脂フイルム３３１上に所望の摺接パターン３３３を形成して構成されている。合成樹脂フイルム３３１の材質は、前記合成樹脂フイルムの材質と同様である。摺接パターン３３３はこの実施形態では２トラック上に設けられ、直線状の抵抗体パターン又はスイッチパターン等によって構成されている。
【００４５】
スライド移動体３６０は合成樹脂を略矩形状に成形して構成されており、その中央に上下に貫通する孔からなる挿入部３６１を設け、また挿入部３６１の両側上面に一対の収納凹部３６３を設けている。一方スライド移動体３６０の下面は摺動子３８０を設置する摺動子設置部３６５となっている。摺動子３８０は弾性金属板製であり、略矩形の平板状に形成された基部３８１の外周辺から突出して基部３８１の下面側に折り曲げられた一対の摺接ブラシ３８３を有して構成されている。基部３８１は図示しない取付手段によって摺動子設置部３６５の下面に取り付けられる。
【００４６】
クリックバネ４００は弾性金属板を略矩形に形成した基部４０１と、基部４０１の外周の左右両側の１８０°対向する位置から突出する一対のアーム部４０３とを一体に形成して構成されている。基部４０１の中央（前記スライド移動体３６０の挿入部３６１に対向する位置）には上下に貫通する挿通部４０５が設けられ、また挿通部４０５の両側（前記スライド移動体３６０の収納凹部３６３に対向する位置）には上下に貫通する取付固定部４０７が設けられている。一対のアーム部４０３はその一端が基部４０１の外周の所定位置に連結されており、両アーム部４０３の所定位置には上方向に向かって突出するように屈曲してなる弾接部４０９が設けられている。
【００４７】
ケース４４０は合成樹脂を成形して構成されており、略矩形平板状の上面部４４１と、上面部４４１の外周から下方に突出してなる側壁部４４３とを具備している。上面部４４１の中央には下記する操作つまみ４８０のガイド部４８５を図１０の紙面手前奥方向にスライド自在に挿入する上下に貫通する矩形状の開口部４４５を有している。また上面部４４１の下面の開口部４４５と側壁部４４３の間の面には、前記クリックバネ４００の弾接部４０９を弾接させる多数の凹凸を紙面手前奥方向に直線状に形成してなるクリック係合部４１１が設けられている。
【００４８】
操作つまみ４８０は合成樹脂の成形品であり、略矩形状の本体部４８１の下面中央から下方向に向かってスライド移動体係止部４８３を突設し、またスライド移動体係止部４８３の左右両側から下方向に向かってガイド部４８５を突設して構成されている。ガイド部４８５の下端辺の所定位置（前記クリックバネ４００の各取付固定部４０７に対向する位置）には下方向に向かって円柱状の小突起からなるクリックバネ固定部４８７が突設している。
【００４９】
そしてクリック機能付き回転式電子部品１−２を組み立てるには図１０に示すように、操作つまみ４８０の本体部４８１の下側にケース４４０を設置し、その際ケース４４０の開口部４４５内に操作つまみ４８０のガイド部４８５をスライド移動自在に挿入し、次にケース４４０の上面部４４１の下面にクリックバネ４００を設置してクリックバネ４００の挿通部４０５に操作つまみ４８０のスライド移動体係止部４８３を挿入してその下面側に突出すると同時にクリックバネ４００の取付固定部４０７に操作つまみ４８０のクリックバネ固定部４８７を挿入し、クリックバネ固定部４８７の先端を熱かしめすることでケース４４０を介して操作つまみ４８０とクリックバネ４００とを一体化する。このときクリックバネ４００の基部４０１は操作つまみ４８０のガイド部４８５の下端面に当接し、同時にクリックバネ４００の両弾接部４０９はケース４４０のクリック係合部４１１に弾接する。即ちこの実施形態においても、操作つまみ４８０にケース４４０を介してクリックバネ４００だけを（即ちスライド移動体３６０とは別個に）取り付けることで、このクリックバネ４００だけに操作つまみ４８０のケース４４０からの抜け防止機能を兼用させている。そして摺動子３８０を取り付けたスライド移動体３６０をクリックバネ４００の下面側に設置する。このときクリックバネ４００の下面側に突出する操作つまみ４８０のスライド移動体係止部４８３をスライド移動体３６０の挿入部３６１に挿入する。なおスライド移動体係止部４８３の先端はスライド移動体３６０の挿入部３６１内に位置し、スライド移動体３６０の下面（摺動子設置部３６５の面）に突出していない。そしてフレキシブル回路基板３３０と支持部材３１０とをケース４４０の側壁部４４３の下端面に設置して図示しない取付手段でこれら各部材間を一体に固定すれば、クリック機能付き回転式電子部品１−２の組み立てが終了する。
【００５０】
そして操作つまみ４８０をスライド移動すると、これと一体にクリックバネ４００及びスライド移動体３６０及び摺動子３８０がスライド移動し、これによってクリックバネ４００の弾接部４０９がケース４４０のクリック係合部４１１に弾接係合してクリック感触が生じると共に、摺動子３８０の摺接ブラシ３８３が摺接パターン３３３上を摺動して摺接パターン３３３の電気的出力が変化する。
【００５１】
そしてこの実施形態においても、クリック機能付きスライド式電子部品１−２は、ケース４４０と、ケース４４０の一方の面側に設置される操作つまみ４８０と、ケース４４０の他方の面側に設置され操作つまみ４８０のスライド移動と共にスライド移動するスライド移動体３６０と、スライド移動体３６０のスライド移動によって電気的出力を変化する摺動子３８０及び摺接パターン３３３からなる電気的機能部と、ケース４４０とスライド移動体３６０の間に設置され操作つまみ４８０のスライド移動と共にスライド移動してクリック感触を生じるクリックバネ４００とを具備し、操作つまみ４８０にケース４４０を介してクリックバネ４００を、スライド移動体３６０を操作つまみ４８０に固定することなく、取り付けることでこのクリックバネ４００に操作つまみ４８０のケース４４０からの抜け防止機能を兼用させたので、操作つまみ４８０がケース４４０から抜けないように操作つまみ４８０とスライド移動体３６０間を結合する必要がなくなる。そのため操作つまみ４８０とスライド移動体３６０間は単に両者が一体にスライド移動する簡単な構造の係合機構（即ちスライド移動体３６０の挿入部３６１に操作つまみ４８０のスライド移動体係止部４８３を挿入する機構）のみで係合すれば良くなる。従って例えスライド移動体３６０に操作つまみ４８０を結合するに十分なスペースがなくても、即ち例えばこの実施形態のようにスライド移動体３６０下面の摺動子設置部３６５の面全体を摺動子３８０が覆うためにこの面に前記操作つまみ４８０のスライド移動体係止部４８３を突出してその先端を熱かしめすることができないような場合でも、操作つまみ４８０がケース４４０から外れることなく、操作つまみ４８０とスライド移動体３６０とを容易に連結して設置することができる。従ってクリック機構付きスライド式電子部品１−２の小型化が図れる。
【００５２】
またこのクリック機構付きスライド式電子部品１−２においても、前記抜け防止機能を果たす操作つまみ４８０とクリックバネ４００との取付位置のこれ以外の位置において、スライド移動体３６０と操作つまみ４８０とを一体に移動する状態に係合している。具体的に言えば、操作つまみ４８０とクリックバネ４００との取付構造は、操作つまみ４８０に設けたクリックバネ固定部４８７をケース４４０を介してクリックバネ４００に貫通してその先端を熱かしめする構造であり、一方スライド移動体３６０と操作つまみ４８０間の係合構造は、前記取付構造とは別の位置において、操作つまみ４８０に設けたスライド移動体係止部４８３をスライド移動体３６０に設けた挿入部３６１に挿入する構造である。このように操作つまみ４８０とクリックバネ４００間の取り付けと、操作つまみ４８０とスライド移動体３６０間の係合とをそれぞれ別々の位置において行えば何れの取付・係合作業もそれぞれ独立した別工程で行えば良くなり、設計の自由度が増す。
【００５３】
またこのクリック機構付きスライド式電子部品１−２においては、スライド移動体３６０のクリックバネ４００に対向する反対側の面に、電気的機能部を構成する摺動子３８０を取り付けているが、このスライド移動体３６０のクリックバネ４００に対向する反対側の面では操作つまみ４８０とスライド移動体３６０間の取り付けによる熱かしめなどを行う必要がない。従ってその面全体を使って自由に摺動子３８０を取り付けることができる。言い換えればクリック機構付きスライド式電子部品１−２が小型化して前記スライド移動体３６０の摺動子３８０を取り付ける面が摺動子３８０で覆われても、これに対応できる。
【００５４】
またこのクリック機構付きスライド式電子部品１−２においては、クリックバネ４００を基部４０１と基部４０１から突出するアーム部４０３の途中に弾接部４０９を設けて構成し、基部４０１を操作つまみ４８０に取り付けることで操作つまみ４８０のケース４４０からの抜け防止機能を果たさせ、一方弾接部４０９をケース４４０に設けたクリック係合部４１１に弾接させてクリックバネ４００移動の際にクリック感触を生じさせるように構成している。このようにクリックバネ４００を基部４０１とアーム部４０３に分け、主に基部４０１を操作つまみ４８０のケース４４０からの抜け防止機能に使用し、アーム部４０３をクリック機能に使用したので、１枚のクリックバネ４００で２つの機能を何れも確実に機能させることができる。
【００５５】
なおこの実施形態においても、前記第１実施形態と同様に、クリックバネ４００の基部４０１の強度を補強する補強部材（以下「補強板」という）を基部４０１に積層して設置しても良い。これによってクリックバネ４００の基部４０１による操作つまみ４８０のケース４４０からの抜け防止機能をさらに確実・強固に発揮させることができる。
【００５６】
ところで上記各実施形態では、操作つまみの移動と共に移動するクリック部材がクリックバネ（クリック係合部に弾接する側の部材）であったが、操作つまみの移動と共に移動するクリック部材はクリックバネの代りにクリック板（クリック係合部を設ける部材）であっても良い。図１１はクリック部材としてクリック板３００を用いた場合の実施形態を示す要部分解斜視図である。この実施形態は、前記図６，図７に示すクリック機能付き回転式電子部品１−１を構成する各部品の内、支持部材１０とフレキシブル回路基板３０と取付台６０と摺動子１００と回転体９０とスペーサ部材１７０と押釦つまみ１８０と操作つまみ２１０の形状・構造は全く同じであり、ケース１５０´とクリックバネ１２０´と新たなクリック板３００が上記第１実施形態と相違している。なお図１１では回転体９０よりも下側の各部品は第１実施形態と同一なのでその記載を省略している。この実施形態において前記第１実施形態と同一又は相当部分には同一符号を付してその説明は省略する。そしてこの実施形態では、ケース１５０´の側にクリックバネ１２０´を取り付け、操作つまみ２１０にこれと一体に回転するクリック板３００を取り付けている。即ちケース１５０´は、前記図６に示すケース１５０と相違し、その上面部１５１の下面の開口部１５５の周囲にクリック係合部を設けず平面状とし、その平面の部分に小突起状の取付固定部１６１を１８０°対向する位置に一対（図では一ヶ所のみ示す）設けている。クリックバネ１２０´は前記ケース１５０´の上面部１５１の下面に取り付けられるものであり、弾性金属板をリング状に形成し、１８０°対向する２ヶ所に前記取付固定部１６１に挿入される小孔からなる固定部１３３を設け、両固定部１３３の両側の円弧状部分をアーム部１３５とし、その中間部分に下方向に湾曲して突出する弾接部１３７を設けて構成されている。クリック板３００は金属板を円板状に形成し、中央に前記押釦つまみ１８０の押圧部１８３を挿通する開口部３０１を設け、また開口部３０１を挟んで１８０°対向する両側位置（操作つまみ２１０の回転体係止部２１７に対向する位置）には扇形状に貫通する挿通部３０３が設けられ、また挿通部３０３と略同一円周上（操作つまみ２１０のクリック板固定部２１９に対向する位置）には複数（４つ）の円形の取付固定部３０５が設けられ、さらに前記挿通部３０３と取付固定部３０５の周囲を囲む位置（クリックバネ１２０´の弾接部１３７が弾接する位置）にはリング状に等間隔に略矩形状の貫通する穴３０７ａを設けることでその円周状のトラックにクリック係合部３０７が設けられている。
【００５７】
そして予めケース１５０´の上面部１５１の下面にクリックバネ１２０´を設置し、その際ケース１５０´の取付固定部１６１をクリックバネ１２０´の固定部１３３に挿入してその先端を熱かしめして固定しておく。次に操作つまみ２１０の開口部２１２にその下面側から押釦つまみ１８０の本体部１８１を挿入し、次に本体部２１１の下面にスペーサ部材１７０を設置し、その下側にケース１５０´を設置する。このときケース１５０´の開口部１５５内に操作つまみ２１０の軸支部２１５が回動自在に挿入され、また操作つまみ２１０の側壁部２１３の内側にケース１５０´の側壁部１５３が入り込む。
【００５８】
次にケース１５０´の下面側の側壁部１５３内にクリック板３００を挿入する。このとき押釦つまみ１８０の押圧部１８３はクリック板３００の開口部３０１に挿通され、またクリック板３００は操作つまみ２１０の軸支部２１５の下端面に当接し、その際操作つまみ２１０の一対の回転体係止部２１７はクリック板３００の挿通部３０３に挿入されてその係止部基部２１７ａに嵌合し、同時に操作つまみ２１０の４つのクリック板固定部２１９はクリック板３００の取付固定部３０５に挿入される。そして４つのクリック板固定部２１９の先端を熱かしめすることで操作つまみ２１０とクリック板３００とをケース１５０´を介して一体化する。このように操作つまみ２１０にケース１５０´を介してクリック板３００だけを（即ち回転体９０とは別個に）取り付けることで、このクリック板３００だけに操作つまみ２１０のケース１５０´からの抜け防止機能を兼用させている。このとき押釦つまみ１８０の本体部１８１は操作つまみ２１０の軸支部２５１の内部空間から抜け出ないように収納されている。またクリックバネ１２０´の両弾接部１３７はそれぞれクリック板３００のクリック係合部３０７に弾接している。またこのとき操作つまみ２１０の一対の回転体係止部２１７の軸部２１７ｂはクリック板３００の下方に突出している。そして操作つまみ２１０を回転すれば、これと一体にクリック板３００が回転し、クリック板３００のクリック係合部３０７にクリックバネ１２０´の弾接部１３７が弾接することでクリック感触が生じる。なおこのクリック機能付き回転式電子部品のこれ以後の各部品の組み立て方法は、前記第１実施形態の場合と全く同一なので、その説明は省略する。このようにクリックバネの代りにクリック板を操作つまみに一体に取り付けても、上記第１実施形態と同様の各種作用・効果が発揮される。なおこの実施形態においても、クリック板３００に補強部材を積層しても良い。
【００５９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えばクリック部材（クリックバネやクリック板）の形状・構造等は種々の変形が可能であり、要はケースと移動体の間に設置され操作つまみの移動と共に移動してクリック感触を生じるクリック部材であればどのような形状・構造であっても良い。また抜け防止機能を果たす操作つまみとクリック部材との取付構造や、移動体と操作つまみとの係合構造も種々の変形が可能である。また移動体のクリック部材に対向する反対側の面には摺動子以外の各種部品を設置しても良い。前記クリック部材の基部に積層するのは補強部材に限られず、移動体を除く他の各種部品を取り付けても良い。また上記各実施形態では挿入部９３，３６１を貫通孔としたが、有底の穴としても良い。また上記クリック機能付き回転式電子部品やクリック機能付きスライド式電子部品を構成する合成樹脂成形品製の各部材の材質としては、必要に応じて種々の材質のものを用いれば良く、例えば熱可塑性のＰＢＴ樹脂やＰＯＭ樹脂やＡＢＳ樹脂やポリカーボネート樹脂やアクリル樹脂やＰＭＭＡ樹脂等を用いればよい。
【図面の簡単な説明】
【００６０】
【図１】クリック機能付き回転式電子部品１−１の概略側断面図である。
【図２】クリック機能付き回転式電子部品１−１を上側から見た斜視図である。
【図３】クリック機能付き回転式電子部品１−１を下側から見た斜視図である。
【図４】クリック機能付き回転式電子部品１−１（上側の部品）を上側から見た分解斜視図である。
【図５】クリック機能付き回転式電子部品１−１（下側の部品）を上側から見た分解斜視図である。
【図６】クリック機能付き回転式電子部品１−１（上側の部品）を下側から見た分解斜視図である。
【図７】クリック機能付き回転式電子部品１−１（下側の部品）を下側から見た分解斜視図である。
【図８】クリック機能付き回転式電子部品１−１の組立方法説明図である。
【図９】クリック機能付き回転式電子部品１−１の変形例説明図である。
【図１０】クリック機能付きスライド式電子部品１−２の概略側断面図である。
【図１１】クリック部材としてクリック板３００を用いた場合の実施形態を示す要部分解斜視図である。
【符号の説明】
【００６１】
１−１  クリック機能付き回転式電子部品（クリック機能付き電子部品）
１０  支持部材
３０  フレキシブル回路基板
３１  第１回路基板部
３３  第２回路基板部
４１  摺接パターン（電気的機能部）
６０  取付台
９０  回転体（移動体）
１００  摺動子（電気的機能部）
１２０  クリックバネ（クリック部材）
１２１  基部
１２３  アーム部
１２７  挿通部
１３１  弾接部
１５０  ケース
１５９  クリック係合部
１７０  スペーサ部材
１８０  押釦つまみ
２１０  操作つまみ
２１７  回転体係止部
２３０  補強板（補強部材）
１−２  クリック機能付きスライド式電子部品（クリック機能付き電子部品）
１２０´  クリックバネ
１５０´  ケース
３００  クリック板（クリック部材）
３０３  挿通部
３０５  取付固定部
３０７  クリック係合部
【図１】
2008283009.tif 000003
【図２】
2008283009.tif 000004
【図３】
2008283009.tif 000005
【図４】
2008283009.tif 000006
【図５】
2008283009.tif 000007
【図６】
2008283009.tif 000008
【図７】
2008283009.tif 000009
【図８】
2008283009.tif 000010
【図９】
2008283009.tif 000011
【図１０】
2008283009.tif 000012
【図１１】
2008283009.tif 000013